(57)【要約】【課題】ＴＣＰを利用したＳＩＰ通信での呼接続に関して、通信経路層と呼接続層の信号クロスにより呼接続が通信不可となることを回避すること、【解決手段】呼接続中継システム１０００における呼接続要求中継装置１３００は、呼接続要求中継装置１３００のリソースの関係から、呼接続要求を交換する通信経路を終了する際に、呼接続要求装置１１００から新規呼接続要求が送信され、通信経路層と呼接続層の信号クロスが発生した場合にも、応答情報を送信するために必要な新規通信経路を確立して、応答情報を呼接続要求装置に対して送信できるため、呼接続の通信不可を回避することができる。この場合、新規呼接続要求受信検出手段１３６０が新規の呼接続要求信号を検出すると、新規応答情報判断手段１３７０により新規の呼接続要求が必要か否かが判断され、新規応答情報送信手段１３７０が新規応答情報送信のための通信経路の確立を行う。【選択図】  図２
2005236882.tif 000002
【特許請求の範囲】
【請求項１】
ネットワークを介した呼接続の要求を表す呼接続要求情報を受信し、該呼接続要求情報の正当性を確認して、呼接続要求先である呼接続先装置へ中継する呼接続要求中継装置であって、
通信経路の終了処理を行っている通信経路を利用して、呼接続要求装置から送信される新たな呼接続要求情報の受信を検出する新規呼接続要求受信検出手段と、
前記新規呼接続要求受信検出手段により受信された呼接続情報の内容から応答が必要か否かを判断する新規応答情報判断手段と、
前記新規応答情報判断手段により、通信経路を交換する階層である通信経路層より上位層で呼接続要求情報を交換する呼接続層の応答が必要であると判断した場合、該呼接続層の信号の応答を送信するための新規通信経路を確立し、該呼接続要求情報に対する新規応答情報を送信する応答情報確立送信手段とを有することを特徴とする呼接続中継システムにおける呼接続要求中継装置。
【請求項２】
ネットワークを介した呼接続の要求を表す呼接続要求情報を中継する呼接続要求中継装置であって、
前記呼接続要求情報を受信する呼接続要求情報受信手段と、
前記呼接続要求情報の中に含まれる呼接続要求装置の正当性を確認する認証情報を取得し、該認証情報の正当性を確認する認証情報取得確認手段と、
前記認証確認ができた場合に、呼接続要求先である呼接続先装置へ呼接続要求を中継する呼接続要求中継手段と、
前記認証確認ができなかった場合に、前記呼接続要求装置に対して、認証確認情報の設定を要求する応答情報を送信する応答情報送信手段と、
前記応答情報送信後に、呼接続要求の情報を送受信するために確立される通信経路を終了する通信経路終了手段と、
終了処理を行っている通信経路を利用して、呼接続要求装置から送信される新たな呼接続要求情報の受信を検出する新規呼接続要求受信検出手段と、
前記新規呼接続要求受信検出手段により受信された呼接続情報に応答信号が必要か否かを判断する新規応答情報判断手段と、
前記新規応答情報判断手段により、通信経路を交換する階層である通信経路層より上位層で呼接続要求情報を交換する呼接続層の応答が必要であると判断された場合に、呼接続層の信号の応答を送信するための、新規通信経路を確立し、前記呼接続要求情報に対する新規応答情報を送信する応答情報確立送信手段とを有することを特徴とする呼接続中継システムにおける呼接続要求中継装置。
【請求項３】
請求項１または２に記載の呼接続中継システムにおける呼接続要求中継装置において、
前記呼接続要求中継装置に対して呼接続要求を送信する手段は、呼接続要求送信命令であるＩＮＶＩＴＥを利用することを特徴とする呼接続中継システムにおける呼接続要求中継装置。
【請求項４】
請求項２に記載の呼接続中継システムにおける呼接続要求中継装置において、
前記認証情報取得確認手段は、呼接続要求装置が呼接続要求を実施する際に送信するＳＩＰ要求メッセージであるＩＮＶＩＴＥ命令に含まれる認証情報を設定するＡｕｔｈｅｎｔｉｃａｔｉｏｎヘッダ情報より取得することを特徴とする呼接続中継システムにおける呼接続要求中継装置。
【請求項５】
請求項１または２に記載の呼接続中継システムにおける呼接続要求中継装置において、
前記呼接続要求中継装置は、呼接続先装置に対して呼接続要求命令であるＩＮＶＩＴＥを中継することを特徴とする呼接続中継システムにおける呼接続要求中継装置。
【請求項６】
請求項１または２に記載の呼接続中継システムにおける呼接続要求中継装置において、
前記呼接続要求中継装置は、呼接続要求命令であるＩＮＶＩＴＥ命令に対して、呼接続要求装置に対して４０７メッセージを送信して、認証確認を要求することを特徴とする呼接続中継システムにおける呼接続要求中継装置。
【請求項７】
請求項２に記載の呼接続中継システムにおける呼接続要求中継装置において、
前記通信経路終了手段は、通信経路終了情報であるトランスポートプロトコルのＦＩＮ信号を呼接続要求装置に送信することにより、通信経路の終了処理を行うことを特徴とする呼接続中継システムにおける呼接続要求中継装置。
【請求項８】
請求項２に記載の呼接続中継システムにおける呼接続要求中継装置において、
前記呼接続要求情報受信手段は、新規呼接続要求ＩＮＶＩＴＥを、新規呼接続要求受信した場合には、呼接続要求情報に応じて認証情報取得により呼接続要求情報の正当性が確認できた場合には、新規の通信経路を確立して正規な応答情報である２０００Ｋを応答することを特徴とする呼接続中継システムにおける呼接続要求中継装置。
【請求項９】
ネットワークを介した呼接続の要求を表す呼接続要求情報を受信し、該呼接続要求情報の正当性を確認して、呼接続要求先である呼接続先装置へ中継する呼接続要求中継方法であって、
呼接続要求情報受信手段が呼接続の要求を表す呼接続要求情報を受信し、
前記呼接続要求情報受信手段から前記呼接続要求情報を受け取ると、認証情報取得確認手段が送信元の呼接続要求装置の認証情報を取得し、呼接続要求情報の中の認証情報の正当性を確認し、
認証情報により呼接続要求装置の正当性が確認できた場合には、前記呼接続要求情報を呼接続先装置へ中継し、
前記認証情報がない場合には、応答情報送信手段が呼接続要求の正当性を確認するための認証情報を載せた応答情報を前記呼接続要求装置に対して送信し、かつ通信経路を終了し、
終了処理を行っている通信経路を介して、呼接続要求装置からの新規呼接続要求を受信した場合、新規応答情報判断手段は前記呼接続要求情報の内容から応答が必要か否かを判断し、必要である場合には、新規応答情報送信手段が新規に応答情報を送信するための新規通信経路を確立して、応答情報を呼接続要求装置に送信することを特徴とする呼接続要求中継方法。
【請求項１０】
ネットワークを介した呼接続の要求を表す呼接続要求情報を受信し、該呼接続要求情報の正当性を確認して、呼接続要求先である呼接続先装置へ中継する呼接続要求中継用プログラムであって、
呼接続要求中継装置のコンピュータに、呼接続の要求を表す呼接続要求情報を受信する手順、送信元の呼接続要求装置の認証情報を取得する手順、呼接続要求情報の中の認証情報の正当性を確認する手順、認証情報により呼接続要求装置の正当性が確認できた場合には、前記呼接続要求情報を呼接続先装置へ中継する手順、前記認証情報がない場合には、呼接続要求の正当性を確認するための認証情報を載せた応答情報を前記呼接続要求装置に対して送信する手順、通信経路を終了する手順、終了処理を行っている通信経路を介して、呼接続要求装置からの新規呼接続要求を受信した場合、前記呼接続要求情報の内容から応答が必要か否かを判断する手順、必要である場合には、新規に応答情報を送信するための新規通信経路を確立する手順、応答情報を呼接続要求装置に送信する手順を、それぞれ実行させるための呼接続要求中継用プログラム。
【発明の詳細な説明】
【技術分野】
【０００１】
本発明は、ネットワークを介して端末装置間の通信の確立を要求する呼接続要求情報が送受信されるが、この呼接続要求情報を中継する呼接続中継システムにおける呼接続要求中継装置、およびその中継方法、ならびにその動作プログラムに関する。
【背景技術】
【０００２】
従来より、呼接続要求中継装置を通してその呼接続要求中継装置から送信された呼接続要求情報を、呼接続要求装置と呼接続先装置とで交換するために利用される制御手段である制御プロトコルとして、セッション・イニシェーション・プロトコル（Ｓｅｓｓｉｏｎ  Ｉｎｉｔｉａｔｉｏｎ  Ｐｒｏｔｏｃｏｌ：以下ＳＩＰという）が広く呼接続要求情報の交換プロトコルの標準として使用されるようになった。
また、ＩＰ通信においては、これまで一般的にＯＳＩ参照モデルにおいて、呼接続要求情報の交換プロトコルより下位層のプロトコルで、通信経路の信号を交換するプロトコルであるトランスポートプロトコルとして、ＴＣＰ（Ｔｒａｎｓｍｉｓｓｉｏｎ  Ｃｏｎｔｒｏｌ  Ｐｒｏｔｏｃｏｌ）もしくはＵＤＰ（Ｕｓｅｒ  Ｄａｔａｇｒａｍ  Ｐｒｏｔｏｃｏｌ）が用いられてきた。ＳＩＰ通信においては、これまで通信経路確立がシンプルなＵＤＰが利用されてきたが、トランスポートプロトコルにＴＣＰを利用した通信がＳＩＰ標準の規定となった。
前記の階層通信形態により、呼接続要求情報の上位層の交換プロトコルとしてＳＩＰプロトコル、また下位層で通信制御プロトコルの情報を運ぶＴＣＰの通信が行われる。
【０００３】
通常、ＴＣＰを利用した通信においては、ＴＣＰ自体にＴＣＰパケットの再送機能が具備されており、ＴＣＰの上位層では要求メッセージの管理や再送などの処理は行わない。
ＴＣＰの上位層のプロトコルであるＳＩＰプロトコルも同様に、ＴＣＰを利用する場合には、ＳＩＰ層においては、メッセージの管理や再送という処理は行っていない。
例えば、Ｔｈｅ  Ｉｎｔｅｒｎｅｔ  Ｅｎｇｉｎｅｅｒｉｎｇ  Ｔａｓｋ  Ｆｏｒｃｅ  Ｒｓｑｕｅｓｔ  ｆｏｒ  Ｃｏｍｍｅｎｔｓ：３２６１  ＳＩＰ（Ｓｅｓｓｉｏｎ  Ｉｎｉｔｉａｔｉｏｎ  Ｐｒｏｔｏｃｏｌ）第１８章（ｈｔｔｐ：／／ｗｗｗ．ｉｅｔｆ．ｏｒｇ／ｒｆｃ／ｒｆｃ３２６１．ｔｘｔ）（非特許文献１参照）にも、呼接続要求中継システムには、通信経路上で最後の呼接続情報を送るか、受け取った後も、実装で定義されたある時間は、その通信経路は開いたままであることが推奨される、とのみ明記されているだけであって、通信経路の終了は、呼接続要求中継装置の実装依存の部分が大きいものとなっており、呼接続要求情報に対する応答情報を送信した時点での通信経路終了処理については厳密な規定がされていない。
【０００４】
【非特許文献１】Ｔｈｅ  Ｉｎｔｅｒｎｅｔ  Ｅｎｇｉｎｅｅｒｉｎｇ  Ｔａｓｋ  Ｆｏｒｃｅ  Ｒｓｑｕｅｓｔ  ｆｏｒ  Ｃｏｍｍｅｎｔｓ：３２６１  ＳＩＰ（Ｓｅｓｓｉｏｎ  Ｉｎｉｔｉａｔｉｏｎ  Ｐｒｏｔｏｃｏｌ）第１８章（ｈｔｔｐ：／／ｗｗｗ．ｉｅｔｆ．ｏｒｇ／ｒｆｃ／ｒｆｃ３２６１．ｔｘｔ）
【発明の開示】
【発明が解決しようとする課題】
【０００５】
しかしながら、前述のような従来の技術では、ＳＩＰ通信においてトランスポートプロトコルにＴＣＰを利用する通信を実現する際には、通信経路を終了する上で、ＳＩＰ層とトランスポート層の信号クロスが発生するため、通信不可となる問題があった。
具体的には、呼接続要求中継装置からこの呼接続要求中継装置と確立した通信経路の終了を行う瞬間に、呼接続要求装置から新たな呼接続要求を送信する場合には、ＳＩＰ層での呼接続要求とトランスポート層の終了処理の信号クロスが発生するため、通信不可となる。
信号クロスが発生した場合には、何度呼接続要求装置から呼接続要求を行っても、前述のように通信不可が続いてしまう可能性がある。
【０００６】
呼接続要求中継装置からの通信経路の開放については、呼接続要求中継装置の実装に依存する部分が多く、特に、呼接続要求中継装置の装置リソースの有効利用の観点から、呼接続要求中継装置から呼接続要求に対する一連の応答処理を表す１トランザクション処理毎に、通信経路を終了するような場合、ＳＩＰ通信における呼接続要求装置の正当性を確認する手段であるＳＩＰダイジェスト認証実施時に、信号クロスの発生する確率が非常に高くなる。
【０００７】
前記ＳＩＰダイジェスト認証は、ＳＩＰ通信において、呼接続要求中継装置が、呼接続要求を送信する呼接続要求装置が正しい呼接続要求元であるかを確認する手段として広く利用されている手段である。
具体的には、前記ＳＩＰダイジェクト認証は、呼接続要求装置から送信される呼接続要求に対して、呼接続要求中継装置が呼接続要求中継装置が管理する正しい呼接続要求装置であることを、呼接続要求装置から呼接続要求が送信される度に行う。
一度送信された呼接続要求を、呼接続要求中継装置から、呼接続要求を受け付けた段階で生成した一定の長さを持った数字や英文字を組み合わせた文字列であるダイジェストを載せて、呼接続要求装置へ呼接続の正当性を確認する呼接続認証確認要求を返信する。
ここまでが、ＳＩＰ層における１トランザクションに相当する。
【０００８】
呼接続要求装置は、前記呼接続要求中継装置から返信された前記呼接続認証確認要求を受信した場合、前記受信処理と連続して、呼接続要求装置が呼接続要求中継装置と共通に保持している一定の長さを持った数字や英文字を組み合わせた文字列である認証鍵において、呼接続認証確認要求の中に含まれる前記ダイジェストを計算し、再度計算結果とともに、呼接続要求を送信する。
呼接続要求中継装置では、前記再度送信された呼接続要求に含まれる計算結果を、呼接続要求中継装置が保持している認証鍵で計算した結果と比較することにより、呼接続要求装置が自分が管理する正しい呼接続要求装置であることを確認する。
【０００９】
その後、呼接続要求中継装置は、送信された呼接続要求情報が、呼接続要求中継装置が管理する正しい呼接続要求装置からの要求であることを確認した後、呼接続要求装置より送信された呼接続要求を呼接続先装置へ転送する。
ここまでが、ＳＩＰ層における新規の１トランザクションに相当する。
なお、前記信号のクロスが発生しないように、呼接続要求装置において、前記２度目の認証情報を載せた接続要求送信までに信号クロスが発生しないような適度なタイマ値を配備することも可能ではあるが、前記一連の呼接続要求に関して前記タイマ値分の接続時間が呼接続要求処理における接続遅延となって現われてしまう。
また、前記呼接続要求装置が、呼接続要求を送信するネットワークによってもクロスが発生しないためのタイマ値が変動するため、前記タイマ値を配備する対策も前記クロスの問題を一時的に解決するだけに過ぎない。
【００１０】
（目的）
本発明の目的は、このようなクロスの問題を解決するもので、通常ＴＣＰを利用した通信では、上位のＳＩＰ層では再送を行うような機能を具備していないが、ＴＣＰ通信経路を利用したＳＩＰ通信での呼接続に関する通信不可を回避することが可能な呼接続中継システムにおける呼接続要求中継装置および中継方法、ならびにそのプログラムを提供することである。
【課題を解決するための手段】
【００１１】
本発明の呼接続中継システムは、図１に示すように、ネットワークを介した呼接続の要求を表す呼接続要求情報を中継する呼接続要求中継装置（１３００）と、前記呼接続要求を呼接続要求中継装置に送信する呼接続要求装置（１１００）と、呼接続要求を呼接続要求中継装置（１３００）から受信する呼接続先装置（１２００）とから構成される。
【００１２】
前記呼接続要求中継装置（１３００）は、図２に示すように、前記呼接続要求情報を受信する呼接続要求情報受信手段（１３１０）と、前記呼接続要求情報の中に含まれる呼接続装置の正当性を確認する認証情報を取得し、その認証情報の正当性を確認する認証情報取得確認手段（１３２０）と、前記認証確認ができた場合に、呼接続要求先である呼接続先装置へ呼接続要求を中継する呼接続中継手段（１３３０）と、前記認証確認ができなかった場合に、前記呼接続要求装置に対して、認証確認を要求する応答情報を送信する応答情報送信手段（１３４０）と、応答情報送信後に、呼接続要求の情報を送受信するために確立される通信経路を終了する通信経路終了手段（１３４５）と、終了処理を行っている通信経路を利用して、呼接続要求装置から送信される新たな呼接続要求情報の受信を検出する新規呼接続要求受信検出手段（１３６０）と、前記新規呼接続要求受信検出手段（１３６０）により受信された呼接続情報を判断する新規応答情報判断手段（１３５０）と、
前記新規応答情報判断手段（１３５０）により、通信経路を交換する階層である通信経路層より上位層で呼接続要求情報を交換する呼接続層の応答が必要であると判断された場合に、呼接続層の信号の応答を送信するための新規通信経路を確立し、前記呼接続要求情報に対する新規応答情報を送信する応答情報（確立）送信手段（１３７０）とから構成される。
【００１３】
本発明の呼接続中継方法は、応答情報送信後、呼接続要求中継装置が通信経路の終了処理を行っている瞬間に、呼接続要求装置から新たな呼接続要求が送信され、呼接続要求情報であるＳＩＰ信号と通信経路の信号であるＴＣＰ信号のクロスが発生した場合にも、応答情報を送信するために必要な通信経路を確立して、応答情報を呼接続要求装置に対して送信できるようにし、クロスによる通信不可を回避する。
【発明の効果】
【００１４】
本発明によれば、クロスが発生した場合にも、呼接続要求中継装置が新規呼接続要求情報受信を判断し、新規応答情報の再送信が必要であると判断された場合には、新規通信経路確立手段により呼接続要求装置との間に、新規通信経路を確立して呼接続要求先に送信するため、通信不可を回避することが可能となる。
【発明を実施するための最良の形態】
【００１５】
以下、本発明の実施の形態について、図面により詳細に説明する。
なお、本実施形態においては、前記ＳＩＰプロトコルを適用した呼接続中継システムを例として説明する。
（システム構成）
図１は、本発明の実施の形態に係る呼接続中継システムの構成図である。
呼接続中継システム１０００は、ネットワーク１０を介した呼接続を要求する呼接続要求装置１１００と、呼接続要求装置１１００からの呼接続要求先に指定される呼接続先装置１２００と、呼接続要求装置１１００からの呼接続の要求を中継する呼接続要求中継装置１３００とを具備している。
【００１６】
図１において、呼接続中継システム１０００を構成する呼接続要求装置１１００、呼接続先装置１２００、呼接続中継装置１３００は、それぞれ１つずつ図示されているが、本発明の呼接続中継システムは図１に示す構成に限ることなく、例えばそれぞれ複数の呼接続要求装置１１００、呼接続先装置１２００および呼接続要求中継装置１３００により構成してもよい。
【００１７】
呼接続要求装置１１００および呼接続先装置１２００は、ＳＩＰネットワークにおける呼接続要求装置および呼接続先装置、すなわちユーザエージェント（Ｕｓｅｒ  Ａｇｅｎｔ：ＵＡともいう）を構成している。
【００１８】
（呼接続中継装置の構成）
図２は、図１における呼接続要求中継装置の構成例を示すブロック図である。
呼接続要求中継装置１３００は、ネットワーク１０に接続され、呼接続要求装置間に介在してＳＩＰに準拠した各命令を中継するＳＩＰサーバを構成する中央処理装置（Ｃｅｎｔｒａｌ  Ｐｒｏｃｅｓｓｉｎｇ  Ｕｎｉｔ：以下単にＣＰＵという）を有するコンピュータ装置により構成される。
【００１９】
呼接続要求中継装置１３００は、図２に示すように、前記呼接続要求情報を受信する呼接続要求情報受信手段１３１０と、前記呼接続要求情報の中に含まれる呼接続装置の正当性を確認する認証情報を取得し、その認証情報の正当性を確認する認証情報取得確認手段１３２０と、前記認証確認ができた場合に、呼接続要求先である呼接続先装置へ呼接続要求を中継する呼接続中継手段１３３０と、前記認証確認ができなかった場合に、前記呼接続要求装置に対して、認証確認を要求する応答情報を送信する応答情報送信手段１３４０と、応答情報送信後に、呼接続要求の情報を送受信するために確立される通信経路を終了する通信経路終了手段１３４５と、終了処理を行っている通信経路を利用して、呼接続要求装置から送信される新たな呼接続要求情報の受信を検出する新規呼接続要求受信検出手段１３６０と、前記新規呼接続要求受信検出手段１３６０により受信された呼接続情報を判断する新規応答情報判断手段１３５０と、前記新規応答情報判断手段１３５０により、通信経路を交換する階層である通信経路層より上位層で呼接続要求情報を交換する呼接続層の応答が必要であると判断された場合に、呼接続層の信号の応答を送信するための新規通信経路を確立し、前記呼接続要求情報に対する新規応答情報を送信する応答情報（確立）送信手段１３７０とから構成される。
【００２０】
呼接続要求情報受信手段１３１０は、呼接続要求装置１１００から送信された呼接続要求情報を、ネットワークインタフェース１３９０を介して受信し、受信された呼接続要求情報を認証情報取得確認手段１３２０に出力する。
ここで、呼接続要求装置１１００は、呼接続要求中継装置１３００に対して、呼接続要求を送信する手段として、呼接続要求送信命令であるＩＮＶＩＴＥを利用するようにしてもよい。
【００２１】
次に、認証情報取得確認手段１３２０は、呼接続要求情報受信手段１３１０により入力された呼接続要求情報から呼接続要求装置の正当性を確認する情報を取得し、取得された認証情報を確認して呼接続要求装置１１００の正当性を確認する。
【００２２】
ここで、認証情報取得確認手段１３２０は、呼接続要求装置１１００が呼接続要求を実施する際に送信するＳＩＰ要求メッセージであるＩＮＶＩＴＥ命令に含まれる認証情報を設定するＡｕｔｈｅｎｔｉｃａｔｉｏｎヘッダ情報より取得するようにすることもできる。
【００２３】
認証情報取得確認手段１３２０により、呼接続要求装置１１００の正当性が確認された場合には、呼接続要求情報は呼接続要求中継手段１３３０に入力されるようになっている。
【００２４】
呼接続要求中継手段１３３０は、ネットワークインタフェース１３９０を介して、呼接続要求を呼接続先装置１２００に中継する。
【００２５】
ここで、呼接続要求中継手段１３３０は、呼接続先装置１２００に対して、呼接続要求命令であるＩＮＶＩＴＥを中継するようにしてもよい。
【００２６】
次に、認証情報取得確認手段１３２０により、呼接続要求装置１１００から送信された呼接続要求の中に、呼接続要求装置１１００の正当性を確認できる認証情報が含まれない場合には、応答情報送信手段１３４０により、ネットワークインタフェース１３９０を介して呼接続要求装置１１００に対して認証確認を要求する応答情報を送信する。
【００２７】
ここで、呼接続要求中継装置１３００は、前記ＩＮＶＩＴＥ命令に対して、呼接続要求装置１１００に対し４０７メッセージ（呼接続要求中継装置が呼接続要求情報を送信している呼接続要求装置をまず認証するために、呼接続要求装置に対して認証を要求するために用いる）を送信して、認証確認を要求するようにしてもよい。
【００２８】
応答情報送信手段１３４０により前記応答情報が送信された後、呼接続要求中継装置１３００は、サーバリソースの有効利用のために、通信経路終了手段１３４５により呼接続要求装置１１００に対して通信経路の終了を通知する終了情報を送信し、通信経路の終了処理を行うかも知れない。
【００２９】
ここで、通信経路終了手段１３４５は、通信経路終了情報であるトランスポートプロトコルのＦＩＮ信号を呼接続要求装置１１００に送信することにより、通信経路の終了処理を行うかも知れない。
【００３０】
その後、呼接続要求装置１１００により新規に送信された情報を、新規呼接続要求受信検出手段１３６０が、ネットワークインタフェース１３９０を介してトランスポート信号受信検出により新規の呼接続要求信号を検出した場合には、新規応答情報判断手段１３５０により新規の応答情報の通信経路が必要であると判断し、新規応答情報送信手段１３７０を起動させる。
新規応答情報送信手段１３７０は、ネットワークインタフェース１３９０を介して新規応答情報送信のための通信経路確立を行い、前記新規応答情報を送信する。
【００３１】
ここで、呼接続要求情報受信手段１３２０が、新規呼接続要求ＩＮＶＩＴＥを、新規呼接続要求として受信した場合には、呼接続要求情報に応じて認証情報の取得により、呼接続要求情報の正当性が確認できた場合には、新規の通信経路を確立して正規な応答情報である２０００Ｋ応答（呼接続要求情報が呼接続要求中継装置に受け入れられたことを示す正常な応答）を送信するようにしてもよい。
【００３２】
（動作フロー）
図３は、本発明の実施の形態に係る呼接続要求中継装置の中継動作のフローチャートである。
まず、呼接続の要求を表す呼接続要求情報が呼接続要求情報受信手段１３１０により受信される（ステップ１１０）。
次に、呼接続要求情報受信手段１３１０により受信された呼接続要求情報により、呼接続要求装置の認証情報が認証情報取得確認手段１３２０により取得され、呼接続要求情報の中の認証情報の正当性を確認する（ステップ１２０）。
次に、認証情報により呼接続要求装置の正当性が確認できた場合には、呼接続要求情報を呼接続先装置１２００に中継する（ステップ１８０）。
【００３３】
一方、認証情報がない場合には、応答情報送信手段１３４０によって呼接続要求装置の正当性を確認するための認証情報を載せた応答情報を呼接続要求装置に対して送信し（ステップ１３０）、通信経路を終了する（ステップ１４０）。
次に、呼接続要求受信検出手段１３６０により、前述で終了処理を行っている通信経路を利用して、呼接続要求装置から新規呼接続要求を受信した場合（ステップ１５０）、新規応答情報判断手段１３５０によって受信呼接続要求情報の内容を判断し（ステップ１６０）、応答が必要である場合には、新規に応答情報を送信するために、新規応答情報送信手段１３７０によって新規通信経路を確立して、応答情報を呼接続要求装置に送信する（ステップ１７０）。
【００３４】
一方、認証情報確認手段１３２０によって呼接続要求情報の中に認証情報が含まれ、その認証情報の正当性が確認された場合には、直ちに呼接続要求中継手段１３３０によって、ネットワークインタフェース１３９０を介して呼接続先装置１２００に呼接続要求情報を送信する（ステップ１８０）。
【００３５】
（プログラム）
図３に示す呼接続中継システムの呼接続要求中継動作フローチャートをプログラム化し、ＣＤ−ＲＯＭなどの記録媒体に格納しておけば、呼接続要求中継用プログラムの売買や貸与の場合に便利であり、また、呼接続要求中継装置１３００内のコンピュータに上記記録媒体を装着して、プログラムをインストールした後、実行させることにより、本発明の呼接続要求中継方法を容易に実現することができる。
【図面の簡単な説明】
【００３６】
【図１】本発明の実施の形態に係る呼接続中継システムの構成図である。
【図２】図１における呼接続要求中継装置の構成例を示すブロック図である。
【図３】本発明の実施の形態に係る呼接続要求情報処理動作のフローチャートである。
【符号の説明】
【００３７】
１０  ネットワーク
１０００  呼接続中継システム
１１００  呼接続要求装置
１２００  呼接続先装置
１３００  呼接続要求中継装置
１３１０  呼接続要求情報受信手段
１３２０  認証情報取得確認手段
１３３０  呼接続要求中継手段
１３４０  応答情報送信手段
１３４５  通信経路終了手段
１３５０  新規応答情報判断手段
１３６０  新規呼接続要求受信検出手段
１３７０  新規応答情報送信手段
１３９０  ネットワークインタフェース
【図１】
2005236882.tif 000003
【図２】
2005236882.tif 000004
【図３】
2005236882.tif 000005